Podtech/llm-jp-corpus-v4-ja_patent huggingface dataset:
(57)【要約】【目的】防水効果と同時に滑り止め効果及び耐火性をかもし出し、更に高級感・清潔感を漂わせることを目的とした防水石材。【構成】最下部に下地となるコンクリートやセンチュリーボード及びコンパネを敷き、その上に接着効果を出すプライマーを塗布し、更にその上に防蝕材としての弾性ポリエステル樹脂を塗り込む。更にその上に塗膜の強度効果を出せるガラス繊維を使用した補強材を敷き、その上に防蝕材としての弾性ポリエステル樹脂を再度塗り込む。そしてその上層部に、高級感及び清潔感並びに滑り止め効果や耐火性を出す為、粒子状に細かく砕いた宝石色の石材を接着させている。【選択図】図１
0003104191.tif 000002
【実用新案登録請求の範囲】
【請求項１】
下地の部分にコンクリートやセンチュリーボード及びコンパネを使用し、その上部に接着剤としてのプライマーを敷き、その上層部に防水効果及び防蝕効果を高めるポリエステル樹脂を塗り込み、その上層部に塗膜の強度を高めるガラス材を敷き、そしてその上層部にもう１度ポリエステル樹脂をクラッドさせて塗り込み、その上に表面仕上げ塗装としてのトップコートを敷き詰め、更にその上に滑り止め効果や耐火性及び高級感・清潔感を出せる、宝石色の石材を、粒子状に細かく砕いて敷き詰めた、ＦＲＰ防水材。
【考案の詳細な説明】
【考案の詳細な説明】
【考案が解決しようとする課題】
【０００１】  従来のＦＲＰ防水コート材は、表面層のトップコートの成分の１つであるパラフィンによって、滑りやすく危険な面があった。又、それだけでは殺風景な感があり、高級感や清潔感が出せず、其の為防水工事をした際にも１ランク上の感じが出せなかった。
【課題を解決する為の手段】
【０００２】  上記目的を達成する為に、ＦＲＰ防水材の表面に宝石色をした石材を、粒子状に細かく砕き、それを表面仕上げのトップコート上に敷き詰めた。
【考案の効果】
【０００３】  これにより、これまでの表面仕上げのトップコート成分の１つであるパラフィンによる滑りやすいという危険性を除去することが出来、更に宝石色が持つ独特の高級感や清潔感を漂わせることにより、１ランク上のリフォームを可能ならしめることに成功したのである。
【図面の簡単な説明】
【図１】ジュエリックコート材の斜視図である。
【符号の説明】
１      下地
２      プライマー
３      ポリエステル樹脂
４      ガラス材
５      ポリエステル樹脂
６      トップコート
７      ジュエリックトップコート
【図１】
0003104191.tif 000003
(57)【要約】      （修正有）【課題】夏の時期の屋外駐車は異常なほど車輌室内が高温になるが、その主原因である真上からの直射日光を防ぎ、そのシートの脱着保管を容易にする。【解決手段】直射日光をまともに受ける車体の上向の部分である、ボンネット、屋根、トランク部分の鉄板と、太陽光線が入り込む前面ガラスと後部ガラスを、本考案の日除けシートで覆うことで、車輌室内の温度上昇を和らげる。シートの構造については、表面は太陽光線を反射させるアルミ箔とし、車体に触れる裏面は、塗装面に傷が付きにくい布製で、ゴム製ロープ２で装着するためシート１の脱着や保管を容易にしている。【選択図】図１
0003104200.tif 000002
【実用新案登録請求の範囲】
【請求項１】
車両のボンネット部、全面ガラス部、屋根部、後方ガラス部及びトランク部の車輌上面部分を連続して覆う矩形のシートで、特に夏季における真上からの直射日光を避ける目的の車両用日除けシート。
【請求項２】
構造は、車両に直接触れる内側は柔らかな布製で、外側にアルミ箔のシートを張り合わせ、左右の長手部分にゴム製ロープを、短い横手部分にはプラスチック製の心棒と成るものを付けることで、着脱と保管を容易にした車両用の日除けシート。
【考案の詳細な説明】
【技術分野】
【０００１】  夏の晴天時に車輌を屋外駐車する際には、直射日光による車輌室内の温度上昇が避けられないが、直射日光を遮断することで車両室内の温度を和らげるための考案である。
【背景技術】
【０００２】  現在、車輌室内の温度上昇を抑えるには、アルミ箔を台紙に張った光反射盤を車輌室内にセットし直射日光を遮断するか、車輌のガラス内側に太陽光線を遮断するシール等を張り付けることなどで、その効果は微弱なものである。
【考案の開示】
【考案が解決しようとする課題】
【０００３】  車輌の上向き部分（ボンネット・屋根部・トランク）の鉄板部は、直射日光を真正面に受けることで温まり易く、また、前面ガラス・後部ガラスは太陽光線が直接車内に入ってくることで車輌室内の温度を上昇させている、したがって、鉄板部に当たる直射日光やガラス部分から進入する太陽光線を遮断することで、車輌室内の温度上昇を抑える。
【課題を解決するための手段】
【０００４】  本考案のシートを車両のボンネット、前面ガラス、屋根部、後部ガラスとトランク部を覆うことで、直射日光を遮断することで解決する。
【考案の効果】
【０００５】  本考案のシートは、車輌塗装面に当たる部分を布製にし直射日光の当たる面には、光反射率の高いアルミ箔にすることで、車輌室内の温度上昇を和らげることが出来、ゴムロープ等での装着なので、軽置であり脱着や保管も容易である。また、装着時にはゴムロープによる引張を与えることで風に強く、シートがダブつかないのでスマート感を出せる。
なお、車輌の側面は覆わないので駐車中の車輌への乗り入れが可能であり、長期駐車する場合は掃除しにくい屋根部や車輌の上向き部分の汚れを抑えることも出来る。
【考案を実施するための最良の形態】
【０００６】  本シートの長さは、セダン型、ライトバン型、ワンボックス型等の車輌形体によるところであるが、シート幅に対しては設置する車輌の屋根部の幅より若干狭くし、ゴム製ロープが屋根部の際に乗る形体が理想である。
【実施例】
【０００７】  車輌への装着方法は、人間の使用するマスクの様に矩形シートに一周しているゴム製ロープで、マスクを耳に掛けるように車輌の前面部を「くぐらせ」、ボンネット、全面ガラス、屋根部、後部ガラスとトランク部を覆い、シート後部にある輪の状態のゴム製ロープを、車輌後部にマスクをつける反対側の耳として「くぐらせ」固定する。【０００８】  本シートに付属しているゴム製ロープには、プラスチックの「くぐらせ棒」が付いており、一人で車輌に装着する時の車輌前面部及び後部の「くぐらせ」を容易にし、装着後には車体の下に入り見えなくなる。なお、保管は巻き取ることで、次回の装着を容易にすることが出来る。
【図面の簡単な説明】
【０００９】
【図１】シート利用図  本シートを車輌に装着した状況図である。
【図２】平面図  シート装着を示した平面図である。
【図３】側面図  シート装着を示した側面図である。
【図４】シート構成図  シートの形状を示した図である。
【符号の説明】
【００１０】１  日除けシート
２  ゴム製ロープ
３  心棒
４  くぐらせ棒
【図１】
0003104200.tif 000003
【図２】
0003104200.tif 000004
【図３】
0003104200.tif 000005
【図４】
0003104200.tif 000006
【手続補正書】
【提出日】平成16年5月18日(2004.5.18)
【手続補正１】
【補正対象書類名】実用新案登録請求の範囲
【補正対象項目名】全文
【補正方法】変更
【補正の内容】
【実用新案登録請求の範囲】
【請求項１】
車両用の日除けシートであって、シートは矩形であり、車両のボンネット部、前面ガラス部、屋根部、後方ガラス部及びトランク部の車両上面部分を連続して覆うことを特徴とする車両用日除けシート。
【請求項２】
シートは、車両に直接触れる内側は柔らかな布製であり、外側はアルミ箔のシートを張り合わせており、シートの車両前側端部及び車両後側端部にはプラスチック製の心棒と輪状のゴム製ロープとが設けられており、ボンネット部及びトランク部に心棒を夫々当てて、ゴム製ロープを車両前面部及び車両後部にくぐらせて、シートを車両に装着することを特徴とする請求項１に記載の車両用日除けシート。
(57)【要約】      （修正有）【課題】この考案は低合金鋳鋼にして耐摩耗により寿命を長くした生コンクリート圧送管を提供する。【解決手段】コンクリート圧送のとき背圧を直接受ける曲管の摩耗度合を少なくするために低合金鋳鋼（ニツケル・クローム・モリブデン鋼）の材質にして曲管背面部に破断防止の格子じま模様Ｂの形状を施す。【選択図】図４
0003104197.tif 000002
【実用新案登録請求の範囲】
【請求項１】
生コンクリート圧送用のエルボ管、ベンド管を低合金鋳鋼品（ニツケル・クローム・モリブデン鋼）にして、エルボ管・ベンド管の外円周側に図３−▲Ｂ▼，図４−▲Ｂ▼，図５−▲Ｂ▼の様に格子じま模様の切欠ぎを施し、破断防止の構造にした、コンクリート圧送用のエルボ管、ベンド管。
【考案の詳細な説明】
【考案の詳細な説明】
この考案は生コンクリート圧送用ベンド管を低合金鋳鋼にしたものである。従来からある生コンクリート圧送用ベンド管は鋼管製が主流であり。曲り管へコンクリートが流れ、その流れ方向が変る際に衝突する周辺局部が摩耗しますので、これを図面にて説明すれば、従来からある圧送用ベンド管は、図１−▲１▼，図２−▲１▼″の様に構造用鋼管を熱間曲げ加工又は冷間曲げ加工して表面処理したものを、両端に図１−▲２▼，図２−▲２▼を溶接で接続したもので、生コンクリートの通過時に激しいとされるエルボ管、ベンド管の外周側内径に摩耗を生じさせ、エルボ管、ベンド管の出口側のフランデ部図１−▲２▼，図２−▲２▼の溶接部分も傷みが激しいとされる。  本案はその欠点を除くために考案されたものである。  これを図面について説明すれば低合金鋳鋼の採用と図３−▲Ｂ▼，図４−▲Ｂ▼，図５−▲Ｂ▼のように破断防止の格子じま模様の切欠ぎを施し、傷みが激しいとされる出入口側の接続部（フランヂ）図３−▲２▼，図４−▲２▼，図５−▲２▼を図３−▲Ａ▼，図４−▲Ａ▼′，図５−▲Ａ▼″と１体成型の採用により寿命が長くなり、ランニングコストの削滅につながった。
【図面の簡単な説明】
【図１】従来からあるコンクリート圧送用、エルボの平面図と断面図である。
【図２】従来からあるコンクリート圧送用、熱間又は冷間曲げベンド管の平面図と断面図である。
【図３】低合金鋳鋼品にしたエルボ管の平面図とＡ−Ａ′断面図，Ｂ−Ｂ′断面図である
【図４】低合金鋳鋼品にしたベンド管（Ｒ３３０）の平面図とＡ−Ａ′断面図Ｂ−Ｂ′断面図である。
【図５】低合金鋳鋼品にしたベンド管（Ｒ２９５）の平面図とＡ−Ａ′断面図Ｂ−Ｂ′断面図である。
【符号の説明】
▲１▼    ＳＧＰ・５Ｂロングエルボ９０°本体の平面図。  ▲２▼    ５Ｂフランヂ（継手）を示す。  ▲１▼′  ＳＧＰ・５Ｂ×３４５Ｒ×９０°本体の平面図。  ▲Ａ▼    低合金鋳鋼製のエルボ管９０°本体。  ▲Ａ▼′  低合金鋳鋼製の（Ｒ３３０）ベンド管９０°本体。  ▲Ａ▼″  低合金鋳鋼製の（Ｒ２９５）ベンド管９０°本体。  ▲Ｂ▼    破断防止の格子じま模様の切欠ぎ部分とその断面図を示す。
【図１】
0003104197.tif 000003
【図２】
0003104197.tif 000004
【図３】
0003104197.tif 000005
【図４】
0003104197.tif 000006
【図５】
0003104197.tif 000007
【手続補正書】
【提出日】平成16年4月6日(2004.4.6)
【手続補正１】
【補正対象書類名】実用新案登録請求の範囲
【補正対象項目名】全文
【補正方法】変更
【補正の内容】
【実用新案登録請求の範囲】
【請求項１】
生コンクリート圧送用のエルボ管とベンド管を低合金鋳鋼品製にして靱性が高く耐摩粍を特徴とし、割れが発生しても破片の飛散を抑えるため，曲り管の外周表面に格子縞模様の凸凹仕様で破断防止と軽量化も加味した、生コンクリート圧送用のエルボ管とベンド管
(57)【要約】      （修正有）【課題】靴の使用に際して足からの発汗により発生する細菌や、それを原因とする臭気、蒸れ等を防止する。【解決手段】小穴を有する皮１及びウレタン２の間に、トルマリン粉体を含有する不織布３及び円形に加工した磁石板４と銅版５をはさみこんで、外周縁を接着し一体化した靴の中敷６とすることにより、トルマリン粉体を含有する不織布から発生するマイナスイオンや遠赤外線の抗菌作用、銅の殺菌作用、磁石の血行促進作用等の相乗効果により，足からの発汗により発生する細菌や、それを原因とする臭気、蒸れ等の問題を解決するものである。【選択図】図１
0003104148.tif 000002
【実用新案登録請求の範囲】
【請求項１】
皮及びトルマリン粉体を含有する不織布及びウレタンを足型輪郭形状に加工し、第一層に皮、第二層にトルマリン粉体を含有する不織布、第三層にウレタンの順に積層し、又、皮と不織布の間の適当な場所に円形に加工した磁石板と銅版をはさみこんで、その外周縁を接着し一体化した靴の中敷。
【請求項２】
請求項１において、多数の貫通した小穴を有する皮及びウレタンを使用し、トルマリン粉体を含有する不織布及び円形に加工した磁石板と銅版を適当な位置にはさみこんで、外周縁を接着し一体化した靴の中敷。
【請求項３】
請求項１において、多数の貫通した小穴を有する皮及びウレタンを使用し、トルマリン粉体を含有する不織布をはさみこんで外周縁を接着し一体化した靴の中敷。
【考案の詳細な説明】
【技術分野】
【０００１】本考案は、小穴を有する皮及びウレタンの間に、トルマリン粉体を含有する不織布及び円形に加工した磁石板と銅版をはさみこんで、外周縁を接着し一体化した靴の中敷に関するものである。
【背景技術】
【０００２】トルマリン粉体を含有する不織布から発生するマイナスイオンや遠赤外線、及び円形に加工した銅の殺菌効果、磁石の血行促進効果等を相乗的に足裏に作用させることができる靴中敷の提供。
【考案の開示】
【考案が解決しようとする課題】
【０００３】靴の使用に際しては、足からの発汗により発生する細菌や、それを原因とする臭気、蒸れ等の問題があった。本考案は小穴を有する皮及びウレタンの間に、トルマリン粉体を含有する不織布及び円形に加工した磁石板と銅版をはさみこんで、外周縁を接着し一体化した靴の中敷とすることにより、トルマリン粉体を含有する不織布から発生するマイナスイオンや遠赤外線の抗菌作用、銅の殺菌作用、磁石の血行促進作用等の相乗効果により問題を解決しようとするものである
【課題を解決するための手段】
【０００４】本考案は、皮及びトルマリン粉体を含有する不織布及びウレタンを足型輪郭形状に加工し、第一層に皮、第二層にトルマリン粉体を含有する不織布、第三層にウレタンの順に積層し、又、皮と不織布の間の適当な場所に円形に加工した磁石板と銅版をはさみこんで、その外周縁を接着し一体化した靴の中敷であり、トルマリン粉体より発生するマイナスイオン等の通過を妨げないように、第一層の皮、及び第３層のウレタンに多数の貫通した小穴をもうけている。これらの相乗効果により問題点を解決している。
【考案の効果】
【０００５】上記のように、本考案はトルマリン粉体を含有する不織布を、小穴を有する皮及びウレタンではさみこむことにより、トルマリン粉体を含有する不織布がら発生するマイナスイオンや遠赤外線を効果的に足裏に作用させることができる。又、円形に加工した磁石板と銅版を足裏のつぼに当る部分に設置することにより相乗効果が期待され、これにより、靴の使用に際して、足からの発汗により発生する細菌や、それを原因とする臭気、蒸れ、水虫等が抑制され、快適な履ごこちの靴を提供することができる。
【考案を実施するための最良の形態】
【０００６】皮及びトルマリン粉体を含有する不織布及びウレタンを足型輪郭形状に加工し、第一層に皮、第二層にトルマリン粉体を含有する不織布、第三層にウレタンの順に積層し、又、皮と不織布の間の適当な場所に円形に加工した磁石板と銅版をはさみこんで、その外周縁を接着し一体化する。又、第一層の皮、及び第３層のウレタンに多数の貫通した小穴をもうけ、トルマリン粉体より発生するマイナスイオン等の通過を妨げない構造とする。
【実施例】
【０００７】以下本考案を限定しない実施例において図面により説明する。図２（Ａ）は本実施例の靴中敷の表面の正面図を示し、図２（Ｂ）は靴中敷の裏面図を示す。図３（Ａ）は中間材を示し、図３（Ｂ）は本実施例中敷を切断した断面図を示す。図１（Ａ）は斜視図をしめす。これら図に示すように、本実施例の靴中敷は足型輪郭形状に加工した皮１、トルマリン粉体を含有する不織布３、ウレタン２を三層に積層し、一層と二層の適当な場所に、円形に加工した磁石版と銅版を貼り付けて、外周縁を接着し一体化する方法により製造されている。図２（Ａ）の靴中敷の表面には多数の小穴を有する皮１を使用している。図３（Ａ）の中間材にはトルマリン粉体を含有する不織布３を使用し、その適当な場所に、円形に加工した銅版４と磁石５をはりつける。図２（Ｂ）の靴中敷の裏面には多数の小穴を有するウレタン２を使用している。図３（Ｂ）は、皮、不織布、ウレタンを三層に積層し外周縁を接着し一体化した本実施例の靴中敷を７の線で切断した断面図であるが、１に多数の小穴を有する皮、３にトルマリン粉体を含有する不織布、２に小穴を有するウレタンを使用している。又、１の皮と３の不織布の適当な場所に、円形に加工した磁石版４と銅版５を貼り付けている。このように本実施例ではトルマリン粉体を含有する不織布から発生するマイナスイオンと遠赤外線や，銅版の殺菌効果、磁石の血行促進効果が、皮やウレタンにあけられた多数の小穴があるため妨げられることなく足裏に相乗的かつ効果的に作用する。
【産業上の利用可能性】
【０００８】
【図面の簡単な説明】
【０００９】
【図１】（Ａ）は本考案の靴中敷の実施例を示す斜視図である。
【図２】（Ａ）は本考案の靴中敷の実施例を示す表面の正面図である。図２（Ｂ）は本考案の靴中敷の実施例を示す裏面の正面図である。
【図３】（Ａ）は本考案の靴中敷の実施例を示す中間材の正面図である。図３（Ｂ）は本考案の靴中敷の実施例を示す断面図である。
【符号の説明】
【００１０】  １  皮  ２  ウレタン  ３  トルマリン粉体を含有する不織布  ４  磁石版  ５  銅版  ６  靴中敷本体  ７  切断面
【図１】
0003104148.tif 000003
【図２】
0003104148.tif 000004
【図３】
0003104148.tif 000005
(57)【要約】【課題】  本考案は、婦人科で内診する際に使用する使い捨てのパンツに関するもので、検診の際の恥らいを少しでもやわらげる着用パンツである。【解決手段】  通常に穿く形式のパンツであり、下部に横方向に大きく広がる拡口部があり、また両足の付根部にゴム紐が露出しているため、この拡口がさらに大きく可能であるため、医師の診察がし易い。【選択図】  図１
0003104149.tif 000002
【実用新案登録請求の範囲】
【請求項１】
同形の前身ごろ（１）と後身ごろ（２）とよりなり、左右に足挿入口（５）を形成する円弧状の切込みを設け、後身ごろ（２）の下方を長めに形成して合わせ布（３）とし、両身ごろ（１），（２）の側縁を縫合すること、前記円弧状切込み部分を袋縫い（７）としてゴム紐（６）を通して足挿入部（５）を形成し、この両身ごろの袋縫い部（７）を縫い合すことなく、分離させてゴム紐（６）のみを露出して通し、合わせ布（３）を縫合することなく開口状として拡口部（４）としたことを特徴とした婦人科内診用のパンツ。
【考案の詳細な説明】
【技術分野】
【０００１】  本考案は、婦人科での内診の際に着用する内診用のパンツに関する。
【背景技術】
【０００２】  女性にとって、下半身をあらわにする婦人科での内診は、精神的に苦痛を伴うもので、何か身につけて、少しでも不要な部位の露出をさけるものがあれば、婦人科での検診を抵抗なく、安心してすみやかに受診できる。
【特許文献１】  実用新案登録第３０８９３１０号公報
【考案の開示】
【考案が解決しようとする課題】
【０００３】  婦人科での内診の際に下半身をあらわにすることは、恥らいがあり、病院への足が遠のき病気の発見が遅れ、その結果後で気がついたときに大病になっている危険が生じるという問題があった。
【課題を解決するための手段】
【０００４】  出願人は、この点に鑑み鋭意研究し試作を重ねた結果本考案に到達したものであって、本考案は、パンツ形の穿きものであって、股に当る部分に大きく開く拡口部（４）を形成し、しかも、この拡口部（４）にさらに合わせ布（３）を設けたことによって薬液等の滴下を受けて、汚れを目立たなくし、受診者に少しでも安心して抵抗なく受診できるパンツを提供する。
【考案の効果】
【０００５】  本考案の内診パンツを穿くことによって、苦痛がとり除かれ、婦人病の早期検診、早期発見ができて病気の撲滅につながり、また本考案の内診用パンツを身につけていると安心感が生じ、医師への信頼もうまれ、検診又は治療上に種々の作用効果が生じる。
【考案を実施するための最良の形態】
【０００６】  本考案の内診用パンツは紙製が主で衛生上使い捨てと、大きく拡口部（４）と合わせ布（３）を設けることによって医師の診断をし易くすることができる。
【実施例】
【０００７】  図面により本考案を説明すると、図１は婦人科内診用のパンツであって、全体として紙製であり、衛生上使い捨てを主とする。符号（１）は前身ごろ、（２）は後身ごろであって、後身ごろ（２）の下方を長めに形成して後述する合わせ布（３）とする。【０００８】  この前身ごろ（１）、後身ごろ（２）の側縁を縫い合せて一体とし、左右に設けた円弧状の切込み部分を袋縫い（７）として、この中にゴム紐（６）を通して足挿入部（５）を形成する。【０００９】  このゴム通しの袋縫い（７）は、両身ごろ（１），（２）の袋縫い部（７）を縫い合せることなく分離しておき、ゴム紐（６）のみが露出する形となって接合している。また合わせ布（３）は後身ごろ（２）の袋縫い（７）端から下方に延伸して形成され、前身ごろ（１）とは縫合していない。【００１０】  したがって合わせ布（３）と前身ごろ（１）は開口状となっていて診察のときの拡口部（４）となる。また、この合わせ布（３）は、診察の際に用いられる薬液等の滴下を受ける布であって、診察台や周囲を汚すことを防ぐためのものである。【００１１】  この内診用パンツの第１の特徴は、前記のように足挿入口（５）の袋縫い（７）の前身ごろ（１）と後身ごろ（２）が分離していて、この接合はゴム紐（６）によってのみとなる。そして、この接合部が大きく横に開いた両身ごろ（１），（２）のつき合せによって形成されるため医師による診察は、横のゴム紐（６）も伸びて拡口部（４）の開口は大きくなる。
本書においては、紙製であること、使い捨てであること、としているが、清潔であれば布製の使い回しのパンツであってもよいことは勿論である。
【産業上の利用可能性】
【００１２】  上述のように、本考案の婦人科内診用のパンツは、受診者に安心感を与え、清潔で穿き捨てとすることによって、婦人科の検診用に限ることなく、肛門科や泌尿器科など下半身を露出して検診する各医科用での利用は広い。
【図面の簡単な説明】
【００１３】
【図１】  パンツ全体を表わす斜視図
【符号の説明】
【００１４】（１）…前身ごろ
（２）…後身ごろ
（３）…合わせ布
（４）…拡口部
（５）…足入れ口
（６）…ゴム紐
（７）…袋縫い
【図１】
0003104149.tif 000003
(57)【要約】  【課題】窓ガラスや戸等の下部に止着し、上方から垂下してくる結露水を吸収して蒸発させる水とりテープにおいて吸水面をテープ長に比較してできるだけ長くすることにより吸水速度、吸水能力の向上を図る。  【解決手段】裏面を粘着面とした吸水層３の上面に透湿性を有する表面層４を設けてなる水とりテープにおいて、吸水面５となる上端縁を山谷が交互に連続した凹凸状、波形の凹凸状等の非直線状として吸水面を長くした水とりテープ。【選択図】  図１
0003104151.tif 000002
【実用新案登録請求の範囲】
【請求項１】
裏面を粘着面とした吸水層の上面に透湿性を有する表面層を設けてなる水とりテープにおいて、吸水面となる上端縁を非直線状として吸水面を長くしたことを特徴とする水とりテープ。
【請求項２】
吸水層が、基材と基材表面に接着した吸水材からなる請求項１記載の水とりテープ。
【請求項３】
吸水面となる上端縁を山谷が交互に連続した凹凸状に成形してなる請求項１又は２記載の水とりテープ。
【請求項４】
吸水面となる上端縁を波形の凹凸状に成形した請求項１又は２記載の水とりテープ。
【考案の詳細な説明】
【技術分野】
【０００１】
この考案は窓ガラスや戸等に結露した水滴が流れ落ち枠下を濡らすのを防ぐ目的で結露面の下部に貼着して使用する水とりテープに関する。
【背景技術】
【０００２】
従来からも同様な目的の下に裏面を粘着面とした吸水層の上面に透湿性を有する表面層を設けてなる水とりテープが提供されている。（特許文献１、特許文献２参照）
これらはいずれも粘着面において窓ガラスや戸等の下部に止着し、上方から垂下してくる結露水をテープ上端縁の吸水面において吸収し、透湿性を有する表面層から蒸発させるようにしたものである。
【特許文献１】実公平５−４１７８５
【特許文献２】実用新案登録第３０２９５５７号
【考案の開示】
【考案が解決しようとする課題】
【０００３】
しかしながら、上記従来から提供されている水とりテープは、吸水面となる上端縁が直線状にカットされており、吸水面の長さがテープの長さと同等であるため、連続して垂下してくる結露水を連続的にすばやく吸収することが困難で、結露水の量が多い場合には吸水面を超えて表面層を伝わって流れ落ちる難点があった。
【０００４】
そこで、本考案の目的とするところは、テープの長さよりも長い吸水面を有する水とりテープを提供し、吸水速度、吸水能力の向上を図るところにある。
【課題を解決するための手段】
【０００５】
上記目的を達成するため、本考案の水とりテープは次のように構成される。
【０００６】
すなわち、裏面を粘着面とした吸水層の上面に透湿性を有する表面層を設けてなる水とりテープにおいて、吸水面となる上端縁を非直線状として吸水面を長くしたことを特徴としている。
【０００７】
吸水面となる上端縁を非直線状とした場合、上方から垂下してくる結露水の接触面積が増大されるので、テープ全体の長さが同一であっても直線状にカットされているテープに比して吸水速度、吸水能力が向上する。
【０００８】
吸水層はレーヨン、綿、麻、アセテート、ビニロン等吸水性の不織布、織布等、吸水性に富んだ吸水材のみで構成する場合のほか、柔軟性のある基材、例えばポリエステルフィルム、ポリプロピレンフィルムなどのプラスチックフィルム、各種の不織布、織布等からなる基材とこの基材表面に接着した吸水材で構成しても良い。
【０００９】
粘着面の形成は、吸水層が吸水材のみから成る場合は、その裏面に粘着剤を直接塗工してもよいし、吸水層が基材と吸水材から成る場合は、基材の裏面に塗工すればよい。粘着剤の代わりに両面テープを貼り合わせることもできる。粘着面（粘着剤、或いは両面テープ）には、必要に応じ剥離紙を貼り合わせておくと、結露面の長さ、大きさに応じてテープを裁断するとき便利であり、剥離紙を剥がしてから貼り付けることができる。
【００１０】
吸水層の上面に設けられる透湿性を有する表面層は、例えばポリエステルの不織布、織布等、透湿性に優れた材質であれば良く、表面に印刷可能な材質を選定すれば意匠効果を高めることもできる。
【００１１】
吸水面となる上端縁はテープ長に比して長い吸水面となり得る非直線状であれば特に形状は限定されないが、山谷が交互に連続した凹凸状あるいは波形の凹凸状にすれば、長い吸水面とすることができ、また、テープ製造時において打ち抜き加工によって簡単に成形し得る利点も有している。吸水面の増大という点からすれば、テープ長の全体にわたって吸水面となる上端縁を単一の凸状あるいは凹状に成形しても直線状にカットされたテープに比して吸水性能を向上し得ることはいうまでもない。
【考案の効果】
【００１２】
本考案に係る水とりテープは吸水面となる上端縁を非直線状として吸水面を長くしたので、同一テープ長において吸水速度、吸水能力と向上させることができ、結露水の量が多い場合においても十分吸水目的を達成しうるものである。
【００１３】
また、非直線状の吸水面とすることにより、意匠的効果を達成することができ、表面層に印刷を施せばさらに装飾性を高めることができる。
【考案を実施するための最良の形態】
【００１４】
以下添付の図面に従って本考案に係る水とりテープの実施態様について説明する。
【００１５】
図１は、吸水面となる上端縁を山谷が交互に連続した凹凸状に成形した水とりテープの部分正面図、図２は吸水面となる上端縁を波形の凹凸状に成形した水とりテープの部分正面図を示している。
【００１６】
いずれの場合においても長尺の巻きテープとして提供されるもので、結露面の幅に合わせて適宜切断して使用される。
【００１７】
図１と図２における相違点は吸水面となる上端縁の形状の相違のみであり、残部の構成は同一である。図３の断面図も参照して説明すると、いずれの水とりテープも裏面に粘着剤１を塗工した柔軟性のある基材２の表面に吸水層３を貼り合わせ、さらにその上に透湿性を有する表面層４を設けた構成となっている。従って、粘着剤１を介して結露面の下部に止着することにより、垂下してきた結露水を吸水層３で吸収し、透湿性を有する表面層４から蒸発させる構造である。
【００１８】
吸水面５となる上端縁は図１においては山谷が交互に連続した凹凸状に成形されており、また、図２においては波形の凹凸状に成形されている。いずれの場合もテープ長に比して飛躍的に増大された長さの吸水面とすることができる。
【００１９】
なお、上記は実施態様の一例を示すもので、本考案の技術的思想の範囲内において種々の態様を採用し得ることはいうまでもない。
【図面の簡単な説明】
【００２０】
【図１】本考案の水とりテープの一実施例を示す要部正面図、
【図２】同水とりテープの他実施例を示す要部正面図、
【図３】同水とりテープの中央縦断面図。
【符号の説明】
【００２１】
１…粘着剤
２…基材
３…吸水層
４…表面層
５…吸水面
【図１】
0003104151.tif 000003
【図２】
0003104151.tif 000004
【図３】
0003104151.tif 000005
(57)【要約】【課題】  マットの透視性を損なうことなく、色覚的に特徴をもった樹脂製マットを提供する。【解決手段】  デスク又はテーブル上に敷かれ、透視性を有する柔軟な樹脂製マット１の製造に用いられる樹脂に、蛍光性色素を添加し、その端縁１ｂが鮮やかに発色するようにする。【選択図】  図１
0003104156.tif 000002
【実用新案登録請求の範囲】
【請求項１】
デスク又はテーブル上に敷かれ、透視性を有する柔軟な樹脂製マットにおいて、
樹脂に、蛍光性色素が添加された樹脂製マット。
【考案の詳細な説明】
【技術分野】
【０００１】
本考案は、デスクやテーブル上に敷かれる樹脂製マットに関するものである。
【背景技術】
【０００２】
透明樹脂製のデスクマットやテーブルマットは、デスク等の表面を保護したり、デスク等の表面との間にメモなどを挟むことにより、参照したいメモ等を広げたままで、その上で、必要な作業ができるようにしたり、コンピューターのマウス用のパッドとして利用するためなどに、広く用いられている。
このようなマットには、デスク等との間に挟んだメモ等をマット越しに見やすくするという機能が求められることが多く、色覚的に区別できる程度の色素を添加すると、マット自体の透視性が悪くなる。
このため、マット自体に色覚的な個性を持たせにくいという問題があった。
【特許文献１】特開２００２−１３６３７５号
【特許文献２】特開２００２−０８５１８１号
【考案の開示】
【考案が解決しようとする課題】
【０００３】
本考案は、上記の問題を解決するためになされたものであり、その目的は、マットの透視性を損なうことなく、色覚的に特徴をもった樹脂製マットを提供することにある。
【課題を解決するための手段】
【０００４】
上記の目的は、デスク又はテーブル上に敷かれ、透視性を有する柔軟な樹脂製マットの製造に用いられる樹脂に、蛍光性色素を添加することによって達成される。
【考案の効果】
【０００５】
本考案は上記のように構成されるので、本考案によるときは、樹脂マットの透視性は損なわれず、かつ、樹脂マットを明るいところに置くと、その端縁が、蛍光色素によって鮮やかに発色するようになり、色覚的に特徴を持たせることができ、ファッション性に優れた樹脂製マットとなる。
【考案を実施するための最良の形態】
【０００６】
以下、図面に基づき、本考案を詳細に説明する。
図１は、本考案に係る樹脂製マットの一実施例を示す斜視図である。
図中、１は樹脂製マット、１ａは平面、１ｂは端縁である。
樹脂製マット１は、透明樹脂に、所要の蛍光性色素を添加して製造された柔軟なシートである。
【０００７】
この添加される蛍光性色素の割合は、シート状に成形された樹脂製マット１の平面１ａを見たときに、その透視性を損なわない程度、即ち、薄っすらとその色素の色調を判別できる程度の少量とする。
この樹脂製マット１をデスク上に敷いて使用すると、樹脂製マット１の下に挟んだメモの文字などは、はっきりと読み取ることができる一方で、その端縁１ｂは、添加した蛍光性色素のため、鮮やかに発色する。
このように、この樹脂製マット１は、優れた透明感を損なわずに、色に特徴を有するので、利用者に対し、その個性をアピールでき、購買意欲を喚起できるようになる。
【０００８】
上記の樹脂製マットの樹脂は、透明で柔軟なマットの材料とし得るものであればどのようなものでもよく、例えば、ポリ塩化ビニル樹脂が挙げられる。
また、蛍光性色素も、樹脂に添加して使用できるものであれば、特に限定されない。蛍光性色素は、蛍光性染料又は蛍光性顔料から適宜選択することができる。
また、上記の樹脂製マットの表面の全体又は一部に、パソコンのマウスのボールが空滑りしないよう、透視性を損なわない範囲で微細なエンボスなどの滑り止め加工を施し、マウスパッドとしても使用できるようにしてもよい。この場合、樹脂製マットが、デスク上の広範囲を覆い得るような大判であれば、マウスパッドとして使用されることが予想される領域にのみ、エンボスを設けるようにしてもよい。
【０００９】
また、マウスパッドとして使用される領域は、使用中に、マウスや利用者の手などにより覆われるので、その下側にメモ等を挟んでも見難いので、その領域の表面にだけ、不透明の滑り止め塗装を施してもよい。
さらに、樹脂製マットを小型のものにし、マウスパッドとしてもよい。
また、樹脂製マットの表面をマウスボールが空滑りしないのであれば、その表面の滑り止め加工や塗装は施す必要がない。
【図面の簡単な説明】
【００１０】
【図１】本考案に係る樹脂製マットの一実施例を示す斜視図である。
【符号の説明】
【００１１】
１      樹脂製マット
１ａ    平面
１ｂ    端縁
【図１】
0003104156.tif 000003
(57)【要約】  【課題】  外観的見栄えも良く、ごみ除去に際し衛生的なごみ捕集装置を提供する。  【解決手段】  洗面器２の排水口３部に嵌挿して組付けた排水筒１内に、円筒状部片１２ａと該円筒状部片１２ａ内を部分的に閉塞したごみ捕集部片１２ｂを備えたごみ捕集筒１２を、前記排水筒１の内周面に形成した雌ねじ１０に前記円筒状部片１２ａの外周面に形成した雄ねじ１１を螺合して組付ける。また、該ごみ捕集筒１２の前記ごみ捕集部片１２ｂに軸線上にして立設した支持杆２０の上端に、前記排水筒の直上に位置し、排水筒１より大径の套装片１４を設ける。【実用新案登録請求の範囲】
【請求項１】
洗面器の排水口部に嵌挿して組付けた排水筒内に、円筒状部片と該円筒状部片内を部分的に閉塞したごみ捕集部片を備えたごみ捕集筒を、前記排水筒の内周面に形成した雌ねじに前記円筒状部片の外周面に形成した雄ねじを螺合して組付けると共に、該ごみ捕集筒の前記ごみ捕集部片に軸線上にして立設した支持杆の上端に、前記排水筒の直上に位置し、排水筒より大径の套装片を設けた、洗面器のごみ捕集装置。
【考案の詳細な説明】
【技術分野】
【０００１】
本考案は、概し、一般家庭において設置して用いている洗面器のごみ捕集装置に関するものである。
【背景技術】
【０００２】
洗面器の排水口部に該排水口部を部分的に閉塞する杆体を格子状にして取付けたり、或いは、特許文献１で示すように洗面器の排水口部に該排水口部を部分的に閉塞する洗面器と別体の閉塞材を取付けて洗面器内のごみを捕集するようにした構造のものがある。
【０００３】
【特許文献１】特開２００３−３１３９１３号公報
【考案の開示】
【考案が解決しようとする課題】
【０００４】
前記従来例は、排水口部において捕集したごみが単に流れない、というだけで、捕集状態が露出したままであるので、外観的見栄えが悪く、また、捕集したごみを除去するにも手先で直接触れなければならないので衛生的とはいえない。
【０００５】
本考案は斯様な従来例の欠点に着目し、外観的見栄えもよく、しかも、ごみ除去に際し、ごみに直接触れる必要のない、ごみ捕集装置を提供すべく創案したものである。
【課題を解決するための手段】
【０００６】
洗面器の排水口部に嵌挿して組付けた排水筒内に、円筒状部片と該円筒状部片内を部分的に閉塞したごみ捕集部片を備えたごみ捕集筒を、前記排水筒の内周面に形成した雌ねじに前記円筒状部片の外周面に形成した雄ねじを螺合して組付けると共に、該ごみ捕集筒の前記ごみ捕集部片に軸線上にして立設した支持杆の上端に、前記排水筒の直上に位置し、排水筒より大径の套装片を設けた構成としたものである。
【考案の効果】
【０００７】
本考案によれば、洗面器内のごみを確実に捕集することができることは勿論、ごみは排水筒内で捕集され、該捕集状態は套装片によって被装されるから外観的見栄えも良好で不潔感を与えずにすむ。また、支持杆を中心にして操作することによりごみ捕集筒を回動させて排水筒との螺合状態から離脱させ、これと同時にごみの排除を行うことができるから衛生的でもある。
【実施例】
【０００８】
図面は本考案に係る洗面器のごみ捕集装置の一実施例を示し、図１は縦断面図、図２は一部欠截平面図、図３はごみ捕集材の斜視図である。
【０００９】
図中、１は排水筒で、排水筒１は下部側の直筒部１Ａと上部側の拡開部１Ｂとで成り、洗面器２に設けた排水口３に貫通させて上端の鍔部片１ａをパッキン４を介して前記排水口３の縁部に掛止させ、排水口３より突出する下部側に第二パッキン４´とすべりワッシャ５を介して締付けナット６を螺合締付けて前記洗面器２に組付け、前記洗面器２内の水を、該排水筒１の下端に螺合した袋ナット７によって接続した排水管８へと導くものである。
【００１０】
また、排水筒１は、前記締付けナット６や袋ナット７を螺合する雄ねじ９を設けた、下部側の前記直筒部１Ａの中間部に雌ねじ１０を備え、該雌ねじ１０を利用してごみ捕集材Ａを係離自在に組付けるようにしてある。
【００１１】
ごみ捕集材Ａは、ごみ捕集筒１２と、該ごみ捕集筒１２の捕集部片１２ｂに軸線上にして突設した支持杆２０の上端に設けた套装片１４とで構成したもので、前記ごみ捕集筒１２は、外周面に前記雌ねじ１０に螺合する雄ねじ１１を刻設した円筒状部片１２ａと、該円筒状部片１２ａの上面を透孔１３を列設して部分的に閉塞した多孔板状の捕集部片１２ｂとで成る逆有底筒状体で構成したものである。
【００１２】
なお、実施例の前記套装部片１４は、前記排水筒１の、上部側の拡開部１Ｂの口径より大径の円盤体で成り、その下面中央に吊設した前記支持杆２０の下面にねじ穴１６を設け、該ねじ穴１６にごみ捕集筒１２の捕集部片２ｂの下側から該部片１２ｂを軸線上に貫通させたねじ杆１７を螺合、締付けて前記ごみ捕集筒１２とで捕集材Ａを構成するようにしてあるが、これは、ごみ捕集筒１２側と套装片１４側を組立て自在にすることにより、在庫管理や包装上好適にするためである。
【００１３】
また、前記円筒状部片１２ａはごみ捕集部片１２ｂによってその上面において部分的に閉塞されて、ごみを捕集するようにしてあるが、上下方向の中間部において捕集部片１２ｂによって閉塞されて前記捕集筒１２を構成しても良い。
【００１４】
しかして、洗面器２の排水口３部に嵌挿して組付けた排水筒１に設けた前記雌ねじ１０に、排水筒１内に上方から嵌挿した捕集材Ａのごみ捕集筒１２の円筒状部片１２ａを雄ねじ１１において螺合すると、捕集材Ａは排水筒１に組付けられると共に、套装部片１４が排水筒１の直上に間隙ａを存して配置され、排水筒１内を被うと共に、排水筒１内が捕集部片１２ｂで上下に区画され、その上部側が捕集室１９を構成することとなるのである。
【００１５】
そして、常態時には、捕集部片１２ｂによって捕集された、すなわち、捕集室１９に集められたごみは、套装片１４によって隠され、その存在による不潔感を与えることがなく、雌雄ねじ１０，１１の螺合状態を解放して排水筒１内より捕集部片１２ｂを引き上げることにより、ごみの除去を行うことができるのである。
【図面の簡単な説明】
【００１６】
【図１】縦断面図。
【図２】一部欠截平面図。
【図３】ごみ捕集材。
【符号の説明】
【００１７】
１      排水筒
２      洗面器
３      排水口
１０    雌ねじ
１１    雄ねじ
１２    ごみ捕集筒
１２ａ  円筒状部片
１２ｂ  捕集部片
１４    套装片
２０    支持杆
【図１】
0003104134.tif 000002
【図２】
0003104134.tif 000003
【図３】
0003104134.tif 000004
(57)【要約】      （修正有）【課題】賞味期限とカロリー数値をあわせて表示し、食品の表面に粘着できるようにするシールの提供。【解決手段】賞味期限とカロリー数値の表示２を台紙である粘着紙１に印刷し、表示部分が剥がし易いよう切取り線３をいれ、食品４の表面に粘着できるようにした。【選択図】図２
0003104125.tif 000002
【実用新案登録請求の範囲】
【請求項１】
賞味期限とカロリー数値の表示２を台紙である粘着紙１に印刷し、表示が剥がしやすいように切取り線３をいれて食品４の表面部分に粘着できるようにした、食品の衛生面と人体の健康管理を考えたシールである。
【考案の詳細な説明】
【技術分野】
【０００１】本考案は、賞味期限とカロリー数値をあわせて表示し、食品の表面部分に粘着できるようにシールにしたものである。
【背景技術】
【０００２】従来の賞味期限やカロリー数値は、食品の裏側や目立たない部分に小さな文字で表示されていることが多く、食品によっては箱やパッケージから取り出してしまうと賞味期限やカロリー数値が不明になってしまうものもあった。
【考案の開示】
【考案が解決しようとする課題】
【０００３】賞味期限とは本来品質の保持が十分に可能な期限を示す目安となる日付なので、できるだけ食品の目立つ部分に表示することが重要であり、カロリー数値においても同様で、健康を考えた減量や食事制限を必要とする食生活においては気にとめ易い部分に表示する必要がある。
【課題を解決するための手段】
【０００４】賞味期限とカロリー数値の表示２を台紙である粘着紙１に印刷した後、賞味期限とカロリー数値の表示２を剥がし易くするため切取り線３をいれ、食品４の表面に粘着できるようにした。
【考案の効果】
【０００５】ひとつひとつ食品を取り出して賞味期限やカロリー数値を確認していた手間を省き、手に取らず視覚だけで表示の確認ができるようになる。また、カロリー数値を記入することができるので一日のカロリー摂取量の計算が容易になり減量等の健康管理に役立つ。
【考案を実施するための最良の形態】
【０００６】本考案は、食品の衛生管理を容易にしただけでなく、カロリー数値を記入可能にしたことで健康管理についても気を配ることができるようになった。それを図面１において説明すると、賞味期限とカロリー数値の表示２を粘着紙１に印刷した後、賞味期限とカロリー数値の表示２を剥がし易くするため切取り線３をいれ、食品４の表面に粘着できるようにする。
【図面の簡単な説明】
【０００７】
【図１】賞味期限とカロリー数値の表示を粘着紙に印刷した図である。
【図２】食品に本考案のシールを粘着した図である。
【符号の説明】
【０００８】１  粘着紙
２  賞味期限とカロリー数値の表示
３  切取り線
４  食品
【図１】
0003104125.tif 000003
【図２】
0003104125.tif 000004
(57)【要約】【課題】本考案は、整備作業中にある自動車のハンドルの汚れ防止を提供する。【解決手段】ハンドル（２）の円周サイズに合わせた、ポリプロピレンシート（３）の両端を丸めて、輪状ゴムヒモ（１）をその中空の中に包んで、ミシン糸で縫製装着して、ドーナツ状もしくは、ハンドル輪状に形成してなる、ハンドルカバー。【選択図】      図１
0003104127.tif 000002
【実用新案登録請求の範囲】
【請求項１】
ハンドル（２）の円周サイズに合わせた、ポリプロピレンシート（３）の両端を丸めて、輪状ゴムヒモ（１）をその中空の中に包んで、ミシン糸で縫製装着して、ドーナツ状もしくは、ハンドル輪状に形成してなる、ハンドルカバー。
【考案の詳細な説明】
【技術分野】
【０００１】  本考案は、顧客等の整備中自動車のハンドルを汚れないように防止する技術である。
【背景技術】
【０００２】  従来、整備後の顧客に引渡す前にはハンドルの清掃作業等を行っていた。
【考案の開示】
【考案が解決しようとする課題】
【０００３】  整備に出される車などは、顧客の愛車として愛着感があり、引渡されると汚れ等は気になる所である。とくにハンドルは一番触れる部分であるから、整備工場の作業者の油や塗料、埃等、作業中および移動運転時には汚れる機会が多い。だからよけいに清潔感の敏感な場所であるので、丁寧な清掃が要求され大変であった。
本考案は、このような問題を改善する為になされたものである。
【課題を解決するための手段】
【０００４】  自動車のハンドル（２）の円周サイズにフィットするように合わせた、２本の輪状ゴムヒモ（１）を用意して、同じくハンドル（２）の円周サイズに合わせた、ポリプロピレンシート（３）を用意する。そしてこの２本の輪状ゴムヒモ（１）を、切出した１枚のポリプロピレンシート（３）の両端に、それぞれ中空の中に包み込んで、その前記シートの合わせ面をミシン糸で縫製して設ける。つまり前記ゴムヒモが前記シート両端部の縫製による中空部分に入っている状態で形成されている。これで、ハンドル輪状に、あるいはドーナツ状に形成される。
【考案の効果】
【０００５】  本考案は、顧客から預かった自動車のハンドルを、完全にカバーしてるので、汚れから根本的にシャットアウトできる。また、誰でも簡単にハンドルから着脱できる事と、作業者も普段と変わらずに、安心してハンドルを扱えるので、作業効率も上がった。
材料も安く、シンプル構造であるから、ローコストに出来る。
【考案を実施するための最良の形態】
【０００６】  自動車等のハンドル（２）の円周サイズに合わせた、２本の輪状ゴムヒモ（１）に、同じくハンドル（２）の円周サイズに合わせた、ポリプロピレンシート（３）の両端を丸めて、前記ゴムヒモを、その中空の中に包んでミシン糸等で、それぞれ前記シートのその部分を縫製加工を行い縫い付ける。これにより図１のごとく、ドーナツ状およびハンドル輪状に形成される。つまりポリプロピレンシート（３）の中空状両端の中で輪状ゴムヒモ（１）は、伸び縮みする関係で、ある程度の自由度をもたしてある。
本考案は、以上のような構成よりなるテイチングアダプターである。【０００７】  本考案を使用するときには、ハンドルに輪状ゴムヒモ（１）の部分を両手で引伸ばして、被せながらフィットさせるだけで良い。
【図面の簡単な説明】
【０００８】
【図１】    本考案の斜視図である。
【図２】    本考案の実施図である。
【符号の説明】
【０００９】    １  輪状ゴムヒモ
２  ハンドル
３  ポリプロピレンシート
【図１】
0003104127.tif 000003
【図２】
0003104127.tif 000004
(57)【要約】［課題］  ヘルメットは、あらゆる作業、工事から身を守る為に欠かせない保護具であります、しかし、熱が頭部に“こもる”問題が解決されず「熱中症」と呼ばれる事故は最近多く見られます。この問題を解決するために、従来のヘルメットにも簡単に取り付け可能で頭部に、常に風を送ることで爽やかな作業ライフを提供致します。［解決手段］  ヘルメット内部配管装置（１）に携帯用空気送給ポンプ（３）より風量調節つまみ（４）で風量を調節しながら、空気送給ホース（２）を通して、常にヘルメット内部（１）に空気を送り込む装置を特徴とする。［選択図］    図１【実用新案登録請求の範囲】
【請求項１】
ヘルメット内部に、空気配管装置を設けたヘルメット（１）ワンタッチジョイント２カ所を設けた空気送給ホース（２）安全帯及びベルト等に、着脱が出来、風量の調節つまみが付いた、携帯用空気送給ポンプ（３）等を設けた熱遮断風冷ヘルメット。
【考案の詳細な説明】
【考案の詳細な説明】
【０００１】［産業上の利用分野］
本考案は、炎天下や暑い場所で、ヘルメットを着用し作業を行う人達の汗を軽減し、頭部を熱中症から守るための装置であります。
【０００２】［従来の技術］
従来は、ヘルメットの内にタオル等で頭部を覆い汗を吸収させたり、額に汗吸収マットを付けたりしております、又は時折ヘルメットを脱いで汗を拭い、風に当たり頭部を冷やす程度であります。
【０００３】［考案が解決しようとする課題］
これには次のような欠点があった。
（イ）炎天下で日陰がない。
（ロ）頻繁に休憩が取れない。
（ハ）風の無い日がある。
（ニ）頭がボーとしてしまい、その状態での作業は危険である。
（ホ）熱中症で倒れる。
（ニ）汗が目に入り、作業性が悪い。
本考案は、これらの欠点を除くためになされたものである。
【０００４】［課題を解決するための手段］
炎天下や暑い場所に携行し、暑くなる前から、頭部に風を送ります。
これによりヘルメット上部からの放射熱を遮断します。
強弱は、暑さの程度により、風量調節つまみにて調整します。
【０００５】［考案実施の形態、構造と使用法］
以下、本考案の実施例について説明する。
（イ）従来型のヘルメットにも着用可能な配管構造（１）
（ロ）不必要なときにはワンタッチジョイントにて取り外しが出来る構造（２）
（ハ）直接コンプレッサー等から空気が送給出来るならば、ポンプ（３）をＯＦＦにし、風量調節つまみ（４）によって空気送給も可能である。
（ニ）尚ポンプは、ズボンのベルト、又は安全帯等に着用すれば作業上問題は無いと考えます。
【０００６】［考案の効果］
これには次のような効果がある。
（イ）風が無く、日陰が無くても頭部には絶えず風が送れる。
（ロ）極度にボーとしないので作業の危険性は軽減される。
（ハ）軽量ポンプにて作業性は損なわれない。
（ニ）熱中症から頭部を守れる。
（ホ）ヘルメット本来の機能は損なわれず保たれている。
本考案は、これらの効果をもたらすものである。
【図面の簡単な説明】    ［図１］
本考案の側面図である。
【符号の説明】
１  ヘルメット内部、配管装置
２  ワンタッチジョイント、空気送給ホース
３  携帯用空気送給ポンプ
４  風量調節つまみ、ベルト通し
【図１】
0003104126.tif 000002